(57)【特許請求の範囲】
【請求項１】
作業現場における安全確認のための第１の音声メッセージと、高温下の作業現場における高温障害予防のための第２の音声メッセージとが記憶された音声記憶部と、
音声記憶部の第１の音声メッセージまたは第２の音声メッセージを出力するスピーカと、
周囲の温度を検出する温度センサと、
人の接近を検知する人体検知センサと、
人体検知センサによって人の接近が検知されると、温度センサの検出温度が所定の温度よりも低いときは音声記憶部の第１の音声メッセージを出力し、温度センサの検出温度が所定の温度以上のときは音声記憶部の第２の音声メッセージを出力する制御手段とを備えた
ことを特徴とする音声発生器。
【請求項２】
作業現場における安全確認のための第１の音声メッセージと、高温下の作業現場における高温障害予防のための第２の音声メッセージとが記憶された音声記憶部と、
音声記憶部の第１の音声メッセージまたは第２の音声メッセージを出力するスピーカと、
周囲の温度を検出する温度センサと、
温度センサの検出温度が所定の温度よりも低いときは音声記憶部の第１の音声メッセージを所定時間おきに出力し、温度センサの検出温度が所定の温度以上のときは音声記憶部の第２の音声メッセージを所定時間おきに出力する制御手段とを備えた
ことを特徴とする音声発生器。
【請求項３】
前記制御手段を、人体検知センサによって人の接近が検知され、且つ前回の検知から所定の待ち時間が経過している場合のみ第１の音声メッセージまたは第２の音声メッセージを出力するように構成した
ことを特徴とする請求項１記載の音声発生器。
【請求項４】
前記待ち時間を他の異なる待ち時間に切替可能な待ち時間切替スイッチを備えた
ことを特徴とする請求項３記載の音声発生器。
【請求項５】
前記第１の音声メッセージ及び第２の音声メッセージの少なくとも一方を、音声記憶部に記憶された複数種類の音声メッセージのうちの任意の音声メッセージに切替可能な音声切替スイッチを備えた
ことを特徴とする請求項１、２、３または４記載の音声発生器。
【請求項６】
音声発生器本体に、金属製の任意の取付対象物に吸着可能なマグネットを設けた
ことを特徴とする請求項１、２、３、４または５記載の音声発生器。
【請求項７】
前記音声発生器本体のマグネットに吸着され、円柱状の任意の取付対象物に係合可能な取付具を備えた
ことを特徴とする請求項６記載の音声発生器。
【発明の詳細な説明】
【技術分野】
【０００１】
本発明は、例えば工事現場の任意の場所に設置され、音声メッセージによって作業者に注意を与えるための音声発生器に関するものである。
【背景技術】
【０００２】
一般に、工事現場等の高所で作業を行う場合、作業者には転落防止のための安全帯の着用が義務づけられている。しかしながら、作業者によっては安全帯を着用しなかったり、着用していてもフック掛けを怠るなど、安全帯の使用が徹底されていない場合がある。また、工事現場には、地面の開口部、落下物、建設車両の通行など、危険箇所が多く存在するため、これらの危険箇所に接近する作業者に注意を与えて事故を未然に防止する必要もある。
【０００３】
そこで、従来では、音声メッセージによって作業者に注意を与える音声発生器が用いられている。このような音声発生器としては、安全帯の使用を促すメッセージや、危険箇所の存在を知らせるメッセージ等を音声記憶部に記憶しておき、音声記憶部の音声メッセージを所定時間おきに出力するようにしたものが知られている（例えば、特許文献１参照）。
【先行技術文献】
【特許文献】
【０００４】
【特許文献１】特開平８−３０５９６４号公報
【発明の概要】
【発明が解決しようとする課題】
【０００５】
ところで、建設工事の作業現場等においては、夏場等の温度の高いときは作業者が熱中症や日射病等の高温傷害を起こしやすくなるため、頻繁に水分を補給したり、或いは保冷剤を用いて体を冷やすなどの暑さ対策をとる必要がある。しかしながら、このような暑さ対策は現場の作業者にとって怠りやすく、高温傷害の予防を徹底することは困難であった。そこで、音声発生器によって高温障害予防のための音声メッセージを発するようにすれば、現場作業者への注意を喚起することができる。
【０００６】
しかしながら、熱中症や日射病の予防をするほど気温が高くない日や、作業時間帯に気温が低下した場合など、高温障害予防のための音声メッセージが無用になる場合がある。このような場合は、安全帯の着用を促すメッセージや、危険箇所の存在を知らせるメッセージ等、安全確認のための音声メッセージを出力する方が好ましい。そのためには、安全確認用の音声メッセージと、高温障害予防のための音声メッセージとをそれぞれ音声発生器に記憶しておき、これらを気温に応じて人為的に切り替える必要があるが、気温の変動が大きい時期には頻繁に切替作業を行わなければならず、現場管理者側の負担が大きくなるという問題点があった。
【０００７】
本発明は前記問題点に鑑みてなされたものであり、その目的とするところは、作業現場における安全確認用の音声メッセージと、高温障害予防のための音声メッセージとを周囲の温度に応じて的確に出力することのできる音声発生器を提供することにある。
【課題を解決するための手段】
【０００８】
本発明の音声発生器は、前記目的を達成するために、作業現場における安全確認のための第１の音声メッセージと、高温下の作業現場における高温障害予防のための第２の音声メッセージとが記憶された音声記憶部と、音声記憶部の第１の音声メッセージまたは第２の音声メッセージを出力するスピーカと、周囲の温度を検出する温度センサと、人の接近を検知する人体検知センサと、人体検知センサによって人の接近が検知されると、温度センサの検出温度が所定の温度よりも低いときは音声記憶部の第１の音声メッセージを出力し、温度センサの検出温度が所定の温度以上のときは音声記憶部の第２の音声メッセージを出力する制御手段とを備えている。また、本発明の音声発生器は、前記目的を達成するために、作業現場における安全確認のための第１の音声メッセージと、高温下の作業現場における高温障害予防のための第２の音声メッセージとが記憶された音声記憶部と、音声記憶部の第１の音声メッセージまたは第２の音声メッセージを出力するスピーカと、周囲の温度を検出する温度センサと、温度センサの検出温度が所定の温度よりも低いときは音声記憶部の第１の音声メッセージを所定時間おきに出力し、温度センサの検出温度が所定の温度以上のときは音声記憶部の第２の音声メッセージを所定時間おきに出力する制御手段とを備えている。
【０００９】
これにより、温度センサの検出温度が所定の温度よりも低いときは、作業現場における安全確認のための第１の音声メッセージが出力され、温度センサの検出温度が所定の温度以上のときは、熱中症や日射病等の高温障害を予防するための第２の音声メッセージが出力されることから、これらの音声メッセージを現場管理者が人為的に切り替える必要がない。
【発明の効果】
【００１０】
本発明によれば、作業現場における安全確認のための第１の音声メッセージと、高温下の作業現場における高温障害予防のための第２の音声メッセージとを現場管理者が人為的に切り替える必要がないので、周囲の温度に応じて常に的確な音声メッセージを出力することができ、作業現場における安全確認と高温障害予防対策とを徹底することができる。
【図面の簡単な説明】
【００１１】
【図１】本発明の一実施形態を示す音声発生器の正面側斜視図
【図２】音声発生器の背面側斜視図
【図３】音声発生器のブロック図
【図４】制御部の動作を示すフローチャート
【図５】音声発生器の使用状態を示す側面図
【図６】取付具を用いた音声発生器の取付工程を示す背面側斜視図
【図７】音声発生器の他の使用状態を示す側面図
【発明を実施するための形態】
【００１２】
図１乃至図７は本発明の一実施形態を示すもので、工事現場の任意の作業現場に設置して使用される音声発生器に関するものである。
【００１３】
同図に示す音声発生器１は、音声発生器本体としての箱形の本体ケース２と、人（作業者Ａ）の接近を検知する人体検知センサ３と、周囲の温度を検知する温度センサ４と、音声メッセージが記憶された音声記憶部５と、音声記憶部５の音声メッセージを出力するスピーカ６と、電源をオン／オフする電源スイッチ７と、音声メッセージを切り替える音声切替スイッチ８と、音声メッセージ出力の待ち時間を切り替える待ち時間切替スイッチ９と、音声メッセージの出力を制御する制御部１０とを備えている。
【００１４】
本体ケース２は前後方向に薄型に形成され、その前面上部には音声出力用の複数の貫通孔２ａと電源ランプ２ｂが設けられている。また、本体ケース２の背面には音声発生器１を任意の取付対象物に取り付けるためのマグネット２ｃが設けられ、マグネット２ｃは幅方向両端側が後方に屈曲した金属製の基板２ｄに固着されている。
【００１５】
人体検知センサ３は焦電型赤外線センサ等の周知の機器からなり、本体ケース２の前面上部に配置されている。人体検知センサ３は、検知信号を増幅器３ａで増幅するとともに、コンパレータ３ｂによって所定の閾値以上の信号を制御部１０に出力するようになっている。
【００１６】
温度センサ４はサーミスタ等の周知の機器からなり、本体ケース２の下面に配置されている。
【００１７】
音声記憶部５は音声合成ＩＣからなり、予め記憶されている音声メッセージの音声信号を増幅器５ａで増幅してスピーカ６に出力するようになっている。音声記憶部５には、作業現場における安全確認のための第１の音声メッセージと、高温下の作業現場における高温障害（熱中症や日射病）を予防するための第２の音声メッセージがそれぞれ記憶されている。第１の音声メッセージとしては、例えば「安全帯を使用して下さい」、「開口部に注意して下さい」、「関係者以外は立ち入り禁止です」等の複数種類の音声メッセージが記憶されている。また、第２の音声メッセージとしては、例えば「熱中症対策は十分か確認して下さい」等の音声メッセージが記憶されている。
【００１８】
スピーカ６は本体ケース２内の前面側に設けられ、本体ケース２の各貫通孔２ａを介して外部に音声を出力するようになっている。
【００１９】
電源スイッチ７は押ボタンスイッチからなり、本体ケース２の前面下部に配置されている。電源スイッチ７を押圧操作すると、制御部１０に電源が供給され、電源ランプ２ｂが点灯するようになっている。
【００２０】
音声切替スイッチ８は押ボタンスイッチからなり、本体ケース２の前面下部に配置されている。音声切替スイッチ８は、音声記憶部５の第１の音声メッセージを任意のメッセージに切り替えるようになっており、一回の押圧操作ごとに各第１の音声メッセージを順次切り替えるようになっている。
【００２１】
待ち時間切替スイッチ９は押ボタンスイッチからなり、本体ケース２の前面下部に配置されている。待ち時間切替スイッチ９は、音声メッセージが出力されてから次の音声メッセージを出力するまでの待ち時間を切り替えるようになっており、一回の押圧操作ごとに待ち時間を長さの異なる他の待ち時間（例えば５秒、１０秒、１５秒）に順次切り替えるようになっている。
【００２２】
制御部１０はマイクロコンピュータによって構成され、電源ランプ２ｂ、人体検知センサ３のコンパレータ３ｂ、温度センサ４、音声記憶部５、電源スイッチ７、音声切替スイッチ８及び待ち時間切替スイッチ９に接続されている。また、制御部１０はタイマ１０ａを有し、乾電池または蓄電池からなる電源１１に接続されている。尚、各増幅器３ａ，５ａ、コンパレータ３ｂ、音声記憶部５及び制御部１０は、本体ケース２内に配置された回路基板（図示せず）に設けられている。
【００２３】
以上のように構成された音声発生器１は、図５に示すように任意の場所の金属製の壁面からなる取付対象物Ｂに取付けて使用する。即ち、本体ケース２のマグネット２ｃを取付対象物Ｂに吸着することにより、本体ケース２が取付対象物Ｂに固定される。この場合、本体ケース２の背面がマグネット２ｃによって取付対象物Ｂに固定されると、本体ケース２の前面に設けた人体検知センサ３及びスピーカ６が前方に臨むことから、音声発生器１を地面に置かずに設置することができる。
【００２４】
ここで、制御部１０の動作について、図４のフローチャートを参照して説明する。まず、電源スイッチ７がオンにされると（Ｓ１）、電源ランプ２ｂを点灯し（Ｓ２）、タイマ１０ａをリセットする（Ｓ３）。次に、人体検知センサ３によって人体Ａが検知され（Ｓ４）、且つタイマ１０ａの計時時間が待ち時間ｔ1 を経過している場合（Ｓ５）、温度センサ４の検出温度Ｔが所定温度Ｔ1 （例えば２７℃）よりも低いときは（Ｓ６）、音声記憶部５の第１の音声メッセージをスピーカ６から出力する（Ｓ７）。また、ステップＳ６において温度センサ４の検出温度Ｔが所定温度Ｔ1 以上の場合は、音声記憶部５の第２の音声メッセージをスピーカ６から出力する（Ｓ８）。ここで、電源スイッチ７がオフでなければ（Ｓ９）、ステップＳ４に戻り、ステップＳ４〜Ｓ８の動作を繰り返す。また、ステップＳ４において人体検知センサ３によって人体Ａが検知された場合でも、ステップＳ５においてタイマ１０ａの計時時間が待ち時間ｔ1 を経過していない場合は、音声メッセージを出力することなくステップＳ４に戻る。そして、ステップＳ９において電源スイッチ７がオフになった場合は、電源ランプ１ｂを消灯し（Ｓ１０）、プログラムを終了する。
【００２５】
このように、本実施形態によれば、温度センサ４の検出温度Ｔが所定温度Ｔ1 よりも低いときは、作業現場における安全確認のための第１の音声メッセージをから出力し、温度センサ４の検出温度Ｔが所定温度Ｔ1 以上の場合は、高温下の作業現場における高温障害予防のための第２の音声メッセージを出力するようにしたので、周囲の温度が低いときは第１の音声メッセージによって作業者Ａに安全確認のための注意を与えることができ、周囲の温度が高いときは第２の音声メッセージによって熱中症や日射病を予防するための注意を与えることができる。これにより、第１の音声メッセージと第２の音声メッセージとを周囲の温度に応じて自動で切り替えることができるので、現場管理者が人為的に切り替えることなく常に的確な音声メッセージを作業者Ａに対して出力することができ、作業現場における安全確認と高温障害予防対策とを徹底することができる。
【００２６】
また、人体検知センサ３によって作業者Ａの接近が検知されると音声メッセージを出力するようにしたので、音声発生器１の近傍を通過する作業者に対して音声メッセージを確実に出力することができ、作業者Ａへの注意喚起を効果的に行うことができる。
【００２７】
この場合、人体検知センサ３によって作業者Ａの接近が検知され、且つ前回の検知から所定の待ち時間ｔ1 が経過している場合のみ音声メッセージを出力するようにしたので、例えば大勢の作業者が続けて通過した場合でも、音声メッセージが無用に連発して出力されることがなく、常に適正な間隔で音声メッセージを出力することができる。
【００２８】
また、待ち時間ｔ1 を他の異なる待ち時間ｔ1 に切替可能な待ち時間切替スイッチ９を備えているので、作業者の通行頻度や使用状況等に応じて待ち時間ｔ1 を任意に変更することができ、音声メッセージの出力をより適正に行うことができる。
【００２９】
更に、第１の音声メッセージを、音声記憶部５に記憶された複数種類の第１の音声メッセージのうち任意の第１の音声メッセージに切替可能な音声切替スイッチ８を備えているので、例えば注意内容の異なる複数種類の音声メッセージを記憶しておくことにより、設置場所に適した音声メッセージを出力することができる。
【００３０】
また、本体ケース２の背面に金属製の取付対象物Ｂに吸着可能なマグネット１ｃを設けたので、音声発生器１を地面に置かずに設置することができ、狭い場所や傾斜面など、任意の場所に容易に設置することができる。この場合、音声発生器１が通行の妨げになることがないので、人員や車両等の接触により音声発生器１の位置ずれや破損を生ずることがないという利点もある。
【００３１】
更に、図６に示すように、円柱状の取付対象物Ｃに取付可能な取付具１２を備えることにより、足場等の支柱に音声発生器１を取り付けることもできる。即ち、この取付具１２は、弾性変形可能な略Ｃ字状の係合部材１２ａと、係合部材１２ａが一方の面に固定された平板状の金属板１２ｂとからなり、金属板１２ｂの他方の面に音声発生器１のマグネット１ｃを吸着し、係合部材１２ａを弾性変形させながら取付対象物Ｃの外周面に係合することにより、音声発生器１を取付対象物Ｃに取り付けるようになっている。
【００３２】
尚、前記実施形態では、複数種類の第１の音声メッセージを切り替えるようにしたものを示したが、第２の音声メッセージとして、例えば「熱中症対策は十分か確認して下さい」、「熱中症多発時間帯です。水分を十分に補給しましょう」等の複数種類の音声メッセージを音声記憶部５に記憶しておき、これらの第２の音声メッセージを切り替えるようにしてもよい。
【００３３】
また、前記実施形態では、音声切替スイッチ８によって音声メッセージを切り替えるようにしたものを示したが、音声メッセージを出力するごとに他の音声メッセージに自動で切り替えるようにしてもよい。
【００３４】
更に、前記実施形態では、人体検知センサ３によって人体Ａが検知された場合に音声メッセージを出力するようにしたものを示したが、例えば所定時間おきに出力するようにしてもよい。この場合、図７に示すように作業者Ａが音声発生器１を衣服のポケットに入れて携帯するようにすれば、音声発生器１を携帯する作業者Ａに所定時間おきに確実に注意を与えることができる。
【００３５】
また、前記実施形態では、一種類の音声メッセージを記憶するようにしたものを示したが、内容の異なる複数種類の音声メッセージを記憶しておき、任意の音声メッセージを選択するようにしたり、或いは各音声メッセージを順次出力するようにしてもよい。
【符号の説明】
【００３６】
１…音声発生器、２…本体ケース、２ｃ…マグネット、３…人体検知センサ、４…温度センサ、５…音声記憶部、６…スピーカ、Ａ…作業者、Ｂ，Ｃ…取付対象物。
【図１】
0006025308.tif 000002
【図２】
0006025308.tif 000003
【図３】
0006025308.tif 000004
【図４】
0006025308.tif 000005
【図５】
0006025308.tif 000006
【図６】
0006025308.tif 000007
【図７】
0006025308.tif 000008